(57)【要約】  多次元ディスプレイ用のようなイメージ操作オプション、を提供するための視覚イメージおよび空間データを取り込むためのシステム、装置および方法が提供される。【選択図】図４
2009504028.tif 000002
【特許請求の範囲】
【請求項１】
視覚イメージの取込みおよび修正のためのシステムであって、
イメージ記録媒体上に前記視覚イメージを取り込むように操作可能なイメージ収集レンズおよびカメラと、
前記取り込まれた視覚イメージ内に少なくとも１つの視覚要素に関する空間データを集めるように操作可能なデータ収集モジュールであって、前記データが、更に前記カメラの少なくとも１つの選択構成要素に対する前記少なくとも１つの視覚要素の空間関係に関するものである、前記モジュールと、
前記空間データに対して前記視覚イメージからの前記少なくとも１つの視覚要素を相関させるための前記空間データに関連した前記イメージ記録媒体上のエンコーディング要素と、
少なくとも１つの修正された視覚イメージを生成するために前記空間データに従って前記少なくとも１つの視覚要素を変更するように操作可能なコンピューティング装置と、を備える前記システム。
【請求項２】
前記エンコーディング要素が、視覚データ要素であることを特徴とする、請求項１に記載のシステム。
【請求項３】
前記エンコーディング要素が、非視覚データ要素であることを特徴とする、請求項１に記載のシステム。
【請求項４】
前記エンコーディング要素が、前記記録媒体の構成要素として提供される記録可能な磁性材料であることを特徴とする、請求項１に記載のシステム。
【請求項５】
前記少なくとも一つの修正された視覚イメージの表現を投影して、最終的視覚イメージを生成する光を発生するディスプレイを更に備える、請求項１に記載のシステム。
【請求項６】
前記最終的視覚イメージが、少なくとも２つの距離から投影されることを特徴とする、請求項５に記載のシステム。
【請求項７】
前記距離が、潜在的視聴者の視線に沿った異なる距離を含むことを特徴とする、請求項６に記載のシステム。
【請求項８】
前記視覚イメージが、最終的多イメージ映像を表示するように２つ以上の修正された視覚イメージを作成するために修正されることを特徴とする、請求項５に記載のシステム。
【請求項９】
前記イメージ記録媒体が、写真フィルムであることを特徴とする、請求項１に記載のシステム。
【請求項１０】
前記最終的視覚イメージが、少なくとも２つの異なったイメージ形成平面から成ることを特徴とする、請求項５に記載のシステム。
【請求項１１】
視覚イメージを修正するための方法であって、
イメージ記録媒体上へイメージ収集レンズおよびカメラを通して前記視覚イメージを取り込むステップと、
前記取り込まれた視覚イメージ内の少なくとも１つの視覚要素に関連した空間データを集めるステップと、
前記イメージ記録媒体上のエンコーディング要素内に参照されるように、前記空間データに対して前記少なくとも１つの視覚要素を相関させるステップと、
少なくとも１つの修正された視覚イメージを生成するために前記空間データに従って前記少なくとも１つの視覚要素を変更するステップと、を含む前記方法。
【請求項１２】
コンピューティング装置による前記空間データによる前記少なくとも１つの視覚要素の前記修正を更に含む、請求項１１に記載の方法。
【請求項１３】
前記エンコーディング要素が、少なくとも１つのスキャニング装置によって読み込まれるのに互換性があるデータ要素であることを特徴とする、請求項１１に記載の方法。
【請求項１４】
前記エンコーディング要素が、非視覚データ要素であることを特徴とする、請求項１１に記載の方法。
【請求項１５】
前記エンコーディング要素が、前記記録媒体の構成要素として提供される記録可能な磁性材料であることを特徴とする、請求項１１に記載の方法。
【請求項１６】
前記磁性材料が、前記記録媒体の全長を通じて生じる選択可能なサイズの磁気ストリップであることを特徴とする、請求項１５に記載の方法。
【請求項１７】
前記記録媒体が、写真の未使用フィルムであることを特徴とする、請求項１５に記載の方法。
【請求項１８】
前記磁性材料が、磁性材料内に貯蔵可能な任意のデータタイプを記録することが可能な磁気ストリップであって、かつデータを提供することが可能な磁気ストリップであることを特徴とする、請求項１５に記載の方法。
【請求項１９】
前記少なくとも１つの修正された視覚イメージの表現を投影するディスプレイから光を生成し、かつ最終的視覚イメージを生成するステップを更に含む、請求項１１に記載の方法。
【請求項２０】
潜在的視聴者から前記視聴者の視線に沿って少なくとも２つの異なった距離から前記最終的視覚イメージを投影するステップを更に含む、請求項１１に記載の方法。
【請求項２１】
前記最終的視覚イメージを生成するために２つ以上の修正された視覚イメージを結合するステップを更に含む、請求項１１に記載の方法。
【請求項２２】
前記イメージ記録媒体が、写真フィルムであることを特徴とする、請求項１１に記載の方法。
【請求項２３】
前記最終的視覚イメージが、少なくとも２つの異なったイメージ形成平面から成ることを特徴とする方、請求項１９に記載の方法。
【請求項２４】
視覚イメージの取込みおよび修正のための装置であって、
イメージ記録媒体上に前記視覚イメージを取り込むように操作可能なイメージ収集レンズおよびカメラと、
前記取り込まれた視覚イメージ内に少なくとも１つの視覚要素に関する空間データを集めるように操作可能なデータ収集モジュールであって、前記データが、更に選択された場所に対する前記少なくとも１つの視覚要素の空間関係に関するものである、前記モジュールと、
前記空間データに対して前記視覚イメージからの前記少なくとも１つの視覚要素を相関させるための前記空間データに関連した前記イメージ記録媒体上のエンコーディング要素と、
少なくとも１つの修正された視覚イメージを生成するために前記空間データに従って前記少なくとも１つの視覚要素を変更するように操作可能なコンピューティング装置と、を備える前記装置。
【請求項２５】
前記エンコーディング要素が、少なくとも１つのデータスキャニング装置によって読取り可能なデータ要素であることを特徴とする、請求項２４に記載の装置。
【請求項２６】
前記データスキャニング装置が、レーザ読取り装置であることを特徴とする、請求項２５に記載の装置。
【請求項２７】
前記データ要素が、バーコードであることを特徴とする、請求項２５に記載の装置。
【請求項２８】
前記エンコーディング要素が、ビデオおよび音声情報を含む媒体を格納することが可能なデータ記憶媒体内に参照されるデータ要素であることを特徴とする、請求項２４に記載の装置。
【請求項２９】
前記データ要素が、磁気記録可能な材料であることを特徴とする、請求項２８に記載の装置。
【請求項３０】
前記少なくとも１つの修正された視覚イメージの表現を投影して、最終的視覚イメージを生成する光を発生するディスプレイを更に備える、請求項２４に記載の装置。
【請求項３１】
前記最終的視覚イメージに関連した生成された光が、少なくとも２つの異なった距離から潜在的視聴者まで前記視聴者の視線に対して伝達されることを特徴とする、請求項３０に記載の装置。
【請求項３２】
視覚イメージを投影する光を生成するためのシステムであって、
潜在的視聴者の方へ前記視聴者から少なくとも２つの距離から伝達される光の少なくとも２つの供給源を生成する視覚的ディスプレイ装置、を備え、前記距離が、前記装置の高さおよび幅に対して、前記視覚的ディスプレイ装置内の異なる深さで生じる、ことを特徴とする前記システム。
【請求項３３】
３次元のゾーンを占める前記装置のイメージ表示領域を更に備える、請求項３２に記載のシステム。
【請求項３４】
前記イメージの側面が、前記３次元のゾーン内の少なくとも２つの異なるポイントで発生することを特徴とする、請求項３３に記載のシステム。
【請求項３５】
前記視覚的ディスプレイ装置が、前記光としてイメージ情報を明示する液体成分を更に備えることを特徴とする、請求項３３に記載のシステム。
【請求項３６】
前記視覚的ディスプレイ装置が、モニタであることを特徴とする、請求項３３に記載のシステム。
【請求項３７】
前記モニタが、プラズマモニタディスプレイであることを特徴とする、請求項３６に記載のシステム。
【請求項３８】
前記イメージ表示領域が、選択的に透過的で、前記ディスプレイによって生成される少なくとも１つの二次元イメージの高さおよび幅に対して、前記表示領域内の少なくとも１つの選択的に深いポイントから光を生成するように操作可能であり、前記選択的に深いポイントが、取り込まれた前記イメージの側面に関連した前記空間データによって知らせられることを特徴とする、請求項３３に記載のシステム。
【請求項３９】
前記視覚的ディスプレイ装置からの光の前記少なくとも２つの供給源が、前記最終的視覚イメージの可視側面を生成し、前記最終的視覚イメージが、生成される光の少なくとも２つの異なったポイントを伴い、光の前記ポイントが、前記視覚的ディスプレイが１つ以上の視覚的に認識できる特性によって保持するように操作可能な最も小さい可視側面であることを特徴とする、請求項３２に記載のシステム。
【請求項４０】
前記１つ以上の視覚的に認識できる特性が、色であることを特徴とする、請求項３９に記載のシステム。
【請求項４１】
前記可視側面が、前記視聴者の単一の視線に対して、前記視聴者からの距離で表示され、前記距離が、最初のイメージ取込みの時に集められるデータに影響を受けることを特徴とする、請求項３９に記載のシステム。
【請求項４２】
前記視覚的ディスプレイ装置が、前記３次元のゾーンの少なくとも１つの選択的にサイズ設定をされた領域に影響を及ぼすことを特徴とする、請求項３３に記載のシステム。
【請求項４３】
前記３次元のゾーンの前記少なくとも１つの選択的にサイズ設定をされた領域内に前記視覚的ディスプレイ装置の信号を送る外付け構成要素を更に備える、請求項４２に記載のシステム。
【請求項４４】
前記外付け構成要素が、前記視覚的ディスプレイ装置の少なくとも１つの側面を刺激するために電子的に生成された影響を備えることを特徴とする、請求項４３に記載のシステム。
【請求項４５】
前記外付け構成要素が、少なくとも１つの光生成装置を備えることを特徴とする、請求項４４に記載のシステム。
【請求項４６】
前記光生成装置が、前記３次元のゾーンの前記少なくとも１つの選択的にサイズ設定をされた領域を選択的に通過する光を出力するように操作可能であることを特徴とする、請求項４５に記載のシステム。
【請求項４７】
前記電子的に生成された影響が、磁気であることを特徴とする、請求項４４に記載のシステム。
【請求項４８】
前記外付け構成要素が、前記ディスプレイ装置に影響を及ぼす非可視伝送を備えることを特徴とする、請求項４３に記載のシステム。
【請求項４９】
選択的表示のための視覚イメージを生成するための方法であって、視覚的ディスプレイ装置から光の少なくとも２つの供給源を生成するステップであって、前記光が、前記視覚的ディスプレイの高さおよび幅に対して少なくとも２つの異なった深さから伝達される、ステップを含む、ことを特徴とする前記方法。
【請求項５０】
前記異なった深さが、前記装置に向けた潜在的視聴者の視線に沿って異なったポイントを表すことを特徴とする、請求項４９に記載の方法。
【請求項５１】
前記装置が、多イメージ映像を表示することを特徴とする、請求項５０に記載の方法。
【請求項５２】
前記方法が、３次元のゾーンを占める領域内に前記イメージを表示するステップを更に含むことを特徴とする、請求項４９に記載の方法。
【請求項５３】
前記３次元のゾーン内の少なくとも２つの異なるポイントで前記イメージの側面を表示するステップを更に含むことを特徴とする、請求項５２に記載の方法。
【請求項５４】
液体成分内に光としてイメージ情報を明示するステップを更に含むことを特徴とする、請求項５２に記載の方法。
【請求項５５】
前記視覚的ディスプレイ装置が、モニタであることを特徴とする、請求項５２に記載の方法。
【請求項５６】
前記モニタが、プラズマモニタディスプレイであることを特徴とする、請求項５５に記載の方法。
【請求項５７】
前記３次元のゾーンを占める前記領域が、選択的に透過的であり、光が前記ゾーン内に生成される少なくとも１つの異なった二次元のイメージの前記高さおよび幅に対して少なくとも２つの深さから伝達されることができ、前記深さが、取り込まれた前記イメージに関する非イメージデータに影響を受ける、ことを特徴とする、請求項５２に記載の方法。
【請求項５８】
前記非イメージデータが、取り込まれた前記イメージの側面に関連した空間データである、ことを特徴とする、請求項５７に記載の方法。
【請求項５９】
１つ以上のディスプレイポイントとして光の前記少なくとも２つの供給源から前記視覚イメージの可視側面を生成するステップを更に含む、ことを特徴とする、請求項４９に記載の方法。
【請求項６０】
前記１つ以上のディスプレイポイントが、ピクセルである、ことを特徴とする、請求項５９に記載の方法。
【請求項６１】
視覚イメージを投影するために光を生成するための装置であって、
潜在的視聴者の方へ前記視聴者から少なくとも２つの距離から伝達される光の少なくとも２つの供給源を生成する視覚的ディスプレイ装置、を備え、前記距離が、前記装置の高さおよび幅に対して、前記視覚的ディスプレイ装置内の異なる深さで生じる、ことを特徴とする前記装置。
【請求項６２】
３次元のゾーンを占める前記装置のイメージ表示領域を更に備える、請求項６１に記載の装置。
【請求項６３】
前記イメージの側面が、前記３次元のゾーン内の少なくとも２つの異なるポイントで発生することを特徴とする、請求項６２に記載の装置。
【請求項６４】
前記視覚的ディスプレイ装置が、前記光としてイメージ情報を明示する液体成分を更に備えることを特徴とする、請求項６２に記載の装置。
【請求項６５】
前記視覚的ディスプレイ装置が、モニタであることを特徴とする、請求項６２に記載の装置。
【請求項６６】
前記モニタが、プラズマモニタディスプレイであることを特徴とする、請求項６５に記載の装置。
【請求項６７】
前記イメージ表示領域が、選択的に透過的であり、前記潜在的視聴者が二次元イメージのうちの少なくとも１つの高さおよび幅に対して選択可能な深さで生成される、異なった二次元イメージに関連した光を受け取ることができ、前記深さが、取り込まれた前記イメージの側面に関連した空間データに影響を受けることを特徴とする、請求項６２に記載の装置。
【発明の詳細な説明】
【技術分野】
【０００１】
本発明は、イメージ形成に、および、より詳しくは、多次元ディスプレイ用のようなイメージ操作オプションを提供するための映像および空間データを取り込むことに関する。本発明は、更に３次元の視覚イメージを投影する光を生成するためのシステム、装置または方法に関する。
【０００２】
（関連出願の相互参照）
本出願は、２００５年７月２７日に出願の名称「多次元ディスプレイ用の映像を取り込んで、映写するためのシステム、方法および装置」」の米国仮出願第６０／７０２，９１０号、２００５年８月２５日に出願の名称「多次元ディスプレイ用の映像を取り込んで、映写するためのシステム、方法装置（追加開示）」の米国仮出願第６０／７１１，３４５号、２００５年８月２５日に出願の名称「フィルム取込みの品質を向上するための方法、システムおよび装置」の米国仮出願第６０／７１０，８６８号、２００５年８月２９日に出願の名称「フィルム取込みの品質および効率を向上するための方法、システムおよび装置」の米国仮出願第６０／７１２，１８９号、２００５年１０月１６日に出願の名称「ディジタルイメージ取込みの品質を向上するための方法、システムおよび装置」の米国仮出願第６０／７２７，５３８号、２００５年１０月３１日に出願の名称「フィルムマガジン位置の変更を伴わずにフィルム取込みの品質および効率を向上するための方法、システムおよび装置」の米国仮出願第６０／７３２，３４７号、２００５年１１月２２日に出願の名称「二重フォーカス」の米国仮出願第６０／７３９，１４２号、２００５年１１月２５日に出願の名称「媒体効率を拡大すると共に解像度を高めるハイブリッドカメラ内の可変キーフレームフィルムゲート組み立てのためのシステム及び方法」の米国仮出願第６０／７３９，８８１号、２００５年１２月１５日に出願の名称「（ディジタル）フィルム取込みの品質および効率を向上するための方法、システムおよび装置」の米国仮出願第６０／７５０，９１２号、に基づき、かつ優先権を主張し、それらの全ての内容を本願明細書に引用したものとする。本出願は、２００６年７月６日に出願の名称「多次元イメージディスプレイ用の視覚データおよび非視覚データを取り込むためのシステム及び方法」の米国特許出願第１１／４８１，５２６号、２００６年６月５日に出願の名称「多次元撮像システムおよび方法」の米国特許出願第１１／４４７，４０６号、に基づき、かつ優先権を主張し、それらの全ての内容を本願明細書に引用したものとする。
【０００３】
本出願は、それらの全体の参照によって更に、２００６年７月２４日出願の、名称「媒体記憶容量を増大するためのシステム、装置および方法」の米国特許出願第      号、２００５年７月２２日に出願の米国仮出願第６０／７０１，４２４号の利益を主張する米国非仮出願、および、２００６年６月２１日出願の名称「セルロイドまたは他の写真感光性軸受材料の両側上にイメージを露光するための方法、システムおよび装置」の米国特許出願第      号、２００５年６月２１日に出願の米国仮出願第６０／６９２，５０２号の利益を主張する米国非仮出願を組み込み、その全ての内容が本願明細書においてそれらの全体において記載される。本出願が、それらの全体の参照によって更に、２００６年７月６日に出願の名称「多次元イメージ表示のための視覚データおよび非視覚データを取り込むためのシステム及び方法」の米国特許出願第１１／４８１，５２６号、２００６年６月２２日に出願の名称「ディジタルフィルムシミュレーションためのシステムと方法」の米国特許出願第１１／４７３，５７０号、２００６年６月２１日に出願の名称「セルロイドまたは他の写真感度が高い材料上にイメージを露光するための効率および品質を向上するためのシステム及び方法」の米国特許出願第１１／４７２，７２８号、２００６年６月５日に出願の名称「多次元撮像システムおよび方法」の米国特許出願第１１／４４７，４０６号、および、２００６年４月２０日出願の名称「フィルムまたは他のイメージ形成媒体をシミュレートするシステム及び方法」の米国特許出願第１１／４０８，３８９号を組み込み、その全ての内容が本願明細書においてそれらの全体において記載される。
【背景技術】
【０００４】
映画とテレビジョン技術とがひとつにまとまるにつれて、とりわけディスプレイスクリーンサイズ、解像度および音声のような、視聴覚選択肢が、例えば、ディジタルビデオディスク、コンピュータによって、および、インターネットを通じて提示される視聴オプションおよび媒体の品質が改善し、拡大するにつれて、改善し、拡大してきた。家庭視聴技術の発達は、映画（例えば映画館）経験の価値に否定的にインパクトを与え、および、家庭視聴と映画館視聴との間の表示品質の差異は、完全に映画映写現場および業界を潜在的に脅すポイントまで、最小化した。家庭視聴者は、かつては映画館だけにおいて利用できた、技術的便益の多数を享受し続けることが可能であり、かつし続けることになり、それによって独占的に映画館だけにおいて新しくてユニークな経験のインパクトに対するニーズを増大する。
【０００５】
イメージが、例えばフィルムおよびディジタルカメラで一般的なありふれた「二次元」フォーマットで取り込まれる場合、イメージ内の対象物の三次元の実体は残念なことに、失われる。実際のイメージ側面の特別なデータなしで、人間の目は、一般に映画館で投影され、テレビ、コンピュータおよび他のディスプレイに提示されるイメージを含むイメージの範囲内で対象物の深さ関係を推定するままにしておかれる。視覚的手掛かりまたは視聴者に知られている「合図」はしたがって、前景および背景に、および、互いに対して、少なくとも心が認めることが可能な程度まで「精神的に」割り当てられる。実際の対象物が人によって見られる場合、空間または深さデータは２つの目の隔たり位置の関数として脳によって解釈され、それによって、例えば従来技術カメラで２次元的に取り込まれるそれを越えて人が対象物の深さを解釈することを可能にする。経験および論理に基づいて、人間の知覚が自動的に「配置する」ことができないことは、映像が人間の知覚に「空間知覚」をすることを可能にするために、基本的に視聴者の心によって一般的な方法で深さ配置を割り当てられる。
【０００６】
対象物の空間関係を測定するために、発着信信号および／または電子的に生成された送信信号を伴うソナーおよびレーダのような技術が、公知である。この種の技術は、一般的に電子受信器に対する送信信号の「応答時間」の差異を算出することを伴い、およびそれによって、それぞれの測定領域内の対象物と信号または送信信号をブロードキャストしているユニットとの間の距離および／または空間関係を表す距離データを提供する。空間関係データは、例えば距離サンプリングおよび／または他の多次元データ収集技術によって提供され、および、そのデータは領域の３次元モデルを作成するために視覚取込みに接続される。
【０００７】
現在、映像の側面に関連する実際の空間データと共に、例えばカメラによって取り込まれる視覚データを統合し、かつ複数イメージおよび／またはイメージ側面の、拡張されて重なった表示を示すイメージ側面間の、以降のディジタル描写を含む、審美的に優れた多次元映像を提供するシステムまたは方法は全く存在しない。
【発明の開示】
【０００８】
本発明は、イメージ形成に、および、より詳しくは、多次元ディスプレイ、例えば３次元ディスプレイ用のようなイメージ操作オプションを提供するための映像および空間データを取り込むことに関する。本発明は、更に３次元ディスプレイ内に視覚イメージを投影する光を生成するためのシステム、装置または方法に関する。本発明は、カメラによってイメージを取り込むことによって多次元視覚化情報を提供するためのシステムまたは方法を提供し、このイメージが、視覚側面を含む。更に、空間データが視覚側面に関して取り込まれ、および、イメージデータが撮影イメージから取り込まれる。最後に、この方法は多次元視覚化情報、例えば３次元視覚化情報を提供するために空間データの関数としてイメージデータを選択的に変換することを含む。
【０００９】
視覚イメージの取込みおよび修正のためのシステムが提供され、それが、映像記録媒体上に視覚イメージを取り込むように操作可能なイメージ収集レンズおよびカメラと、取り込まれた視覚イメージ内の少なくとも１つの視覚要素に関する空間データを集めるように操作可能なデータ収集モジュールであって、このデータが、更にカメラの少なくとも１つの選択構成要素に対する少なくとも１つの視覚要素の空間関係に関する、モジュールと、この空間データに対してこの視覚イメージからのこの少なくとも１つの視覚要素を相関させるためのこの空間データに関するこのイメージ記録媒体上のエンコーディング要素と、少なくとも１つの修正された視覚イメージを生成するためにこの空間データに従ってこの少なくとも１つの視覚要素を変更するように操作可能なコンピューティング装置と、を備える。視覚イメージの取込みおよび修正のための装置もまた、提供される。
【００１０】
このシステムまたは装置のエンコーディング要素は、視覚データ要素、非視覚データ要素またはこの記録媒体の構成要素として提供される記録可能な磁性材料を含むが、これに限定されるものではない。このシステムは、この少なくとも一つの修正された視覚イメージの表現を投影して、最終的視覚イメージを生成するために光を生成するディスプレイを更に備えることができる。この最終的視覚イメージは、少なくとも２つの距離から投影されることができる。この距離は、潜在的視聴者の視線に沿って異なる距離を含むことができる。この視覚イメージは、最終的多イメージ映像を表示するために２つ以上の修正された視覚イメージを作成するために修正されることができる。このイメージ記録媒体は、写真フィルムを含むが、これに限定されるものではない。
【００１１】
視覚イメージを修正するための方法が提供され、それが、イメージ記録媒体上へイメージ収集レンズおよびカメラを通してこの視覚イメージを取り込むステップと、この取り込まれた視覚イメージ内に少なくとも１つの視覚要素に関連した空間データを集めるステップと、このイメージ記録媒体上のエンコーディング要素内に参照されるように、この空間データに対して少なくとも１つの視覚要素を関連づけるステップと、少なくとも１つの修正された視覚イメージを生成するためにこの空間データに従ってこの少なくとも１つの視覚要素を変更するステップと、を含む。
【００１２】
視覚イメージを投影する光を生成するためのシステムが提供され、それが、潜在的視聴者の方へこの視聴者から少なくとも２つの距離から伝達される光の少なくとも２つの供給源を生成する視覚的ディスプレイ装置を備え、この距離が、この視覚的ディスプレイ装置の高さおよび幅に対して、この装置内の異なる深さで生じる、ことを特徴とする。視覚イメージを投影する光を生成するための装置もまた提供される。このシステムは、３次元ゾーンを占めるこの装置のイメージ表示領域を更に備えることができる。一態様において、このイメージの側面はこの３次元ゾーン内の少なくとも２つの異なるポイントで生じる。この視覚的ディスプレイ装置は、光としてイメージ情報を明示する液体成分を更に備えることができる。この視覚的ディスプレイ装置は、プラズマモニタディスプレイを含むがこれに限らず、モニタとすることができる。
【００１３】
選択的表示のための視覚イメージを生成するための方法が提供され、それが、視覚的ディスプレイ装置から光の少なくとも２つの供給源を生成するステップであって、この光が、この視覚的ディスプレイの高さおよび幅に対して少なくとも２つの異なった深さから伝達される、ステップを含む。この方法において、この異なった深さは、この装置に向けた潜在的視聴者の視線に沿って異なったポイントを表す。この装置は、多イメージ映像を表示することができる。提供されるこの方法は、３次元ゾーンを占める領域内にこのイメージを表示するステップを更に含むことができる。
【００１４】
本発明の他の特徴および効果は、添付の図面を参照する本発明の以下の記述から明白になるであろう。
【発明を実施するための最良の形態】
【００１５】
本発明を例示するために、本発明が、示される厳密な配置および手段に限定されない、ことは理解されよう。本発明の特徴および効果は、添付の図面を参照する本発明の以下の記述から明白になる。
【００１６】
本発明は、イメージ形成に、および、より詳しくは、多次元ディスプレイ用のようなイメージ操作オプションを提供するための映像および空間データを取り込むことに関する。本発明は、更に３次元の視覚イメージを投影する光を生成するためのシステム、装置あるいは方法に関する。カメラによって取り込まれる「映像」として一般に本願明細書において参照される視覚光景に加えて、空間データサンプリング装置によって取り込まれるような、空間データを提供するシステム及び方法が、提供される。カメラによって取り込まれるような映像は、通常、本願明細書において「イメージ」と称される。映像の三次元の側面に関するデータが、例えばポスト生成プロセス中に用いられることができるように、視覚および空間データが集合的に提供される。さらに、「二次元」撮影イメージに影響を及ぼすための撮像オプションが、このイメージに関連した実際の選択された非イメージデータに関して提供され、これはこのイメージの多次元の見た目を可能にし、他のイメージ処理オプションを更に提供する。
【００１７】
一態様において、カメラを含む、ならびに、空間および深さ情報を測定するために送信信号を送受信するように操作可能な一つ以上の装置を更に含む、多次元撮像システムが、提供される。さらに、データ管理モジュールが空間データを受け取り、かつ別々のディスプレイ上に異なったイメージを表示するように操作可能である。
【００１８】
本発明が、特定の方法、装置またはシステムに限定されず、それらは、もちろん、変化することができることは理解されよう。本願明細書において用いられる用語は特定の実施態様を記載するためだけにあり、かつ限定することを意図されないこともまた理解されよう。この明細書および添付の特許請求の範囲において用いられているように、内容が別の方法ではっきり指図しない限り、単数形「１つの（ａ）」、「１つの（ａｎ）」、および、「その（ｔｈｅ）」は複数の参照を含む。したがって、例えば、「容器」に対する参照は、２つ以上の容器の組合せ、などを含む。
【００１９】
量、時間的持続時間、などのような測定できる値を指す場合に本願明細書において用いられる用語「約」は、この種の変化が開示された方法を実行するために適切であるように、指定された値からの±２０％または±１０％、より好ましくは、±５％、さらにより好ましくは±１％およびなおより好ましくは、±０．１％の変化を包含することを意味する。
【００２０】
別途規定されない限り、本願明細書において用いられる全ての技術的および科学的用語または技術の用語は、本発明が関係する技術の当業者によって一般に理解されるものと同じ意味を有する。本願明細書に記載されるものに類似したまたは等価な任意の方法もしくは材料が本発明の実践において用いられることができるとはいえ、方法もしくは材料が本願明細書に記載される。本発明を記載して、請求する際に、以下の用語が用いられる。ここで使用しているように、用語、「モジュール」は通常、本発明の有効性に寄与する一つ以上の個別構成要素を指す。モジュールは、動作することができるか、または代わりとして、機能するために一つ以上の他のモジュールに依存することができる。
【００２１】
「データ収集モジュール」は、情報を受け取り、かつこの情報を以降の処理および／または記録／保存のために中継するための（この場合に撮像に関する）構成要素を指す。
【００２２】
「イメージ記録媒体」は、ほとんどのイメージ取込みシステム、例えば静止もしくは動画フィルムカメラ、または、フィルムもしくは（ディジタルのような）電子取込み静止カメラの、（写真エマルジョンのような）物理的および（磁気テープおよびコンピュータデータ記憶ドライブのような）電子的構成要素を指す。
【００２３】
「空間データ」は、もう１つに対して１つの対象物の付近の側面（複数の側面）に関する情報を指す。この場合、システムのカメラ側面の選択された一部、および、連合して動作しておよび／または空間データおよびイメージ取込みの両方に結びつけられる参照情報経由でカメラの動作にリンクされる、信号（複数の信号）生成装置によって１つの構成で取り込まれる、イメージ内の（対象物のような）要素（この装置は、選択された信号を伝送して、送信装置の受信および時間測定機能へ屈折した後にその信号の応答を計時する）。
【００２４】
カメラ取込みされた映像と同様に「少なくとも１つの視覚要素」、潜像光化学物質にせよまたは電子取込みにせよ、それがただ空、岩、などである、少なくとも１つの異なった、識別可能な側面が、一般的にある。取り込まれるほとんどのイメージは、その側面に関連した異なったイメージ情報を作成する数多くの、全体的なイメージ取込みおよび関連した視覚化情報の一部、のような要素を有する。
【００２５】
「エンコーディング要素」は、それらの含まれた情報を抽出するために一般的にスキャンされる可視エンコーディング要素の場合のバーコードのような、付加情報マーカー、または、ビデオイメージ取込みに関連した同時に記録された時間コードデータのような、電子的に記録されたトラックもしくはファイルを指す。
【００２６】
「視覚データ要素」は、それが外部情報の少なくとも１つのタイプによって生じる対象物を一般的にリンクしておよび／または共に結びつけるバーコードまたは別の方法で見えるおよび／またはスキャン可能なアイコン、マークおよび／または印象具体化データを指す。映画フィルムは、しばしばフィルムメーカによっておよび／またはカメラの機能として配置される数で示されるマークを含み、エマルジョンそれ自体が、しかし未使用フィルムを持つエマルジョンの同じストリップ内に取り込まれるイメージに関する関連した非イメージデータを提供することを可能にする。その目的は、記録された音声、他のイメージおよび付加イメージ管理オプションを含むがこれに限定されない、外部側面とこのイメージをリンクすることである。
【００２７】
「非視覚データ要素」は、バーコードとは異なり、データの実際の記録に続いて、それが格納される媒体の可視側面を従来通り変更しない、電子的に記録されたデータを指す。ビデオおよび音声データを見えて聞き取れる結果に読み取って、まとめるためのシステムを含む、電子読取り装置が一例である。この場合、テープおよびデータドライブのようなデータ記憶媒体が、取り込まれた空間データまたはイメージデータでない他のデータをリンクする、格納された潜在的非視覚データ要素の例であり、対応するイメージが、別々にまたは同じデータ記憶媒体の異なった側面として格納される。
【００２８】
「カメラの少なくとも１つの選択された構成要素」は、空間データ測定装置（複数の装置）が、フィルムゲートまたはＣＣＤチップ（複数のチップ）内に露出された写真エマルジョンの平面のようなカメライメージの取込みのポイントのような、正確な位置を占めることができない側面を指す。したがって、イメージ取込みの正確なポイントおよび／またはレンズおよび／または他のカメラ部品の間のスペースの選択可能な隔たりがあり、その一つが、集められた空間データが選択的に基準に合うよう調節される空間ポイントであり、選択された隔たりに基づいて空間データが全体的な空間データ結果を推定するように調整するオプション（複数のオプション）を提供する数学的処理が、空間データ収集ユニットに、選択されたカメラ「部品」または構成要素と同じスペースを占めさせた。
【００２９】
「少なくとも１つの修正された視覚イメージ」は、コンピュータおよび空間データを参照する特定用途プログラムおよび選択的他の判定基準およびパラメータの関数として、１つのイメージから少なくとも２つの異なったデータファイルを作成する、単一の二次元イメージ取込みの少なくとも２つの別々の最終イメージへの修正を指す。個々のデータファイルは、各々元の取込まれたイメージの修正を表し、かつ修正されたイメージのうちの少なくとも１つを表す。
【００３０】
「最終的視覚イメージ」は、部分的には、最初のイメージ取込み中に集められる空間データに基づいて修正される、イメージの選択的に重なった表現を提供するために、単一の二次元イメージ取込みの異なった修正されたバージョンを指す。潜在的視聴者に対して、最終表示された結果は、ディスプレイの機能として、連合して選択的に表示される少なくとも２つの異なった二次元イメージの、実際１つの構成に含まれる単一の最終的視覚イメージであり、かつての二次元イメージ取込みの、多次元（「３次元」を含む）印象および表現のような、選択された効果を提供する。
【００３１】
「最終的多イメージ映像」は、そのイメージ内に取り込まれるゾーン内に発生した実際の要素に関する別々のデータに基づいて、部分的にそのイメージ側面に分解される取り込まれた単一の二次元イメージを指す。空間データが、レンズおよび／または実際のポイントまたはイメージ形成（および／または取込み）からの深さまたは距離に特に関する、別々のデータならば、本発明の構成要素としての特定のコンピュータプログラムが、空間データに対して決定される選択された閾値に基づいて原イメージの側面を分離するように部分的に機能することができる。したがって、部分的に原イメージ取込み内に発生する情報に由来する、少なくとも２つの異なったイメージが、単一のイメージ印象に、表示される最終的多イメージ映像である、多次元印象を提供する潜在的視聴者（複数の視聴者）から異なる距離で、連合して表示される。
【００３２】
「最終的視覚イメージは、少なくとも２つの距離から投影される」は、本発明の１つの結果可能性を達成することを指し、二次元イメージ修正経由の元の光景の３次元の再現が取込みの時に集められる空間データに基づき、別々のイメージファイルがオリジナルを少なくとも「前景」と「背景」データとに分解して作成され、（完全に元の取込みイメージのバージョンが、表示される修正されたイメージの一つ以上として選択的に発生することができることに限らず）元々取込みイメージのそれらのバージョンは、別々の距離から投影され、および／または中継されて、取り込まれた光景または映像を備えた原イメージ側面の空間的差異を文字通り模倣する。
【００３３】
「距離は、視聴者の視線に沿った異なる距離を含む」は、視聴者の線に沿った距離としての深さを指し、本発明と関連する視線は、潜在的視聴者（複数の視聴者）の目からの測定できる距離およびこの測定できる線に沿ったイメージの全体の距離である。したがって、対象とした視聴者（複数の視聴者）に面する側面上のディスプレイの高さおよび幅に対して、多次元ディスプレイ内の異なる深さで表示されるイメージもまた、異なる測定できるポイントで発生しており、テープメジャーが、視聴者（複数の視聴者）の目からこのディスプレイを通して、２つの表示された２以上の表示された２次元のイメージに及ぶ場合、このテープメジャーは視聴者（複数の視聴者）の目が目指すまたは彼の視線のところで発生する。
【００３４】
「少なくとも２つの異なった撮像平面」は、一態様において、本発明が、元の２次元のイメージから全てあるいは部分的に作成される２を超える次元のイメージを表示し、イメージに関して集められる他のデータ（この場合空間データ）が、所望の美的表示可能なおよび／または見える結果に向けての原イメージに対する選択的修正（複数の修正）（この場合ディジタル修正）を知らせることができる、ことを指す。
【００３５】
「少なくとも１つのイメージの高さおよび幅は、装置によって明示する」は、対象とする視聴者（複数の視聴者）に面しており、かつ最も近い映写装置の側面の寸法としての、映写装置の高さおよび幅と関連するイメージの高さおよび幅を指す。
【００３６】
「装置の高さおよび幅」は、対象とする視聴者（複数の視聴者）に面しており、かつ最も近い映写装置の側面の寸法を指す。
【００３７】
コンピュータ実行された命令（例えばソフトウェア）が、光景の前景および背景（または他の異なるイメージに関連した優先順位）側面を選択的に割り当て、かつ異なったイメージ情報としてこの側面を切り離すように提供される。さらに、空間データ受信の周知の方法が、三次元のマップを生成し、かつイメージのさまざまな三次元の側面を生成するように実行される。
【００３８】
複数の媒体の第１のもの、例えばイメージ（複数のイメージ）の映像を取り込むフィルムが用いられることができ、および、例えば、複数の媒体の第２のものはディジタル記憶装置であることができる。非視覚、空間関連データが、どちらかの媒体へ、または、それから格納され、および／または、伝送されることができ、および、１つの媒体（例えばフィルム）に格納されるイメージ（複数のイメージ）を、もう一方の媒体（例えばディジタル記憶装置）に格納される空間データと相互参照することによって、イメージ（複数のイメージ）を修正するプロセス中に用いられる。
【００３９】
コンピュータソフトウェアがそれぞれのイメージ（複数のイメージ）と空間データを選択的に相互参照するように提供され、ならびに、このイメージ（複数のイメージ）は、それぞれの部分および映像に関する空間情報を識別するために手動ユーザー入力または命令の必要なしで修正されることができる。もちろん、当業者は、全てのユーザー入力が、例えば美的調整をするために、必ずしも除去されるというわけではないことを認識するであろう。したがって、このソフトウェアは実質的に自動的に動作する。コンピュータ動作された「変換」プログラムは、ユーザーの美的目的によって定まる、実質上無限の数の最終的な、表示可能な「バージョン」に向けて元々取り込まれたイメージデータを修正するように動作することができる。
【００４０】
一態様において、深さ計測要素に接続されるカメラが、提供される。このカメラは、動画、ディジタル、高解像度ディジタル映画カメラ、テレビジョンカメラまたはフィルムカメラを含むいくつかのタイプのうちの１つとすることができる。一態様において、このカメラは、２００６年６月５日に出願の名称「多次元撮像システムおよび方法」の米国特許出願第１１／４４７，４０６号に記載され、請求されているような、「ハイブリッドカメラ」である。この種のハイブリッドカメラは、例えば二重フォーカス映写のために、二重フォーカス取込みを提供する。本発明の一態様に従って、それに応じてこのハイブリッドカメラは深さ測定要素を備えている。この深さ測定要素は、例えば、ソナー、レーダまたは他の深さ測定機能を提供することができる。
【００４１】
したがって、ハイブリッドカメラは、撮影イメージデータ内で発生する対象物のイメージおよび空間関係データの双方を受け取るように操作可能である。特徴の組合せは、追加された創造的なオプションがポスト生成および／または映写プロセス中に提供されることを可能にする。更に、このイメージデータは、従来の映画投影および／またはテレビディスプレイから様々な方法で観衆に与えられることができる。
【００４２】
１つの態様において、ディジタル高解像度カメラ装置のような、ハイブリッドカメラが、カメラの筐体内に深さ測定送信および受信素子を組み込むように構成される。深さ関連のデータが、同じカメラによってディジタル的に取り込まれる視覚データに従って受け取られて、選択的に記録され、それによって、取り込まれるキーイメージゾーンと関連するカメラデータからの深さ情報または距離情報を選択的に提供する。
【００４３】
一態様において、深さ関連のデータが、ディジタル視覚データを格納するために用いられる同じテープまたは記憶媒体に記録される。このデータ（同じ媒体に記録されるのであるにせよ）は、時間コードであり、またはさもなければ、取り込まれた対応する映像と関連するデータと、格納されまたは取り込まれて伝送されるブロードキャスト等との間の適切な参照のために同期される。上記したように、深さ関連のデータは視覚データが格納される特定の媒体以外の媒体に格納されることができる。視覚的に分離して表される場合、空間データはフレームイメージ領域の一種の「立体地図」を提供する。ここで使用しているように、このフレームイメージ領域は通常、イメージの「ライブ領域」と称される。この立体地図は、その時、最終的な表示を目的とされるように、三次元イメージ効果のためのような、選択的に控え目で特有なレベルで、イメージデータを修正するように適用されることができる。
【００４４】
さらに、視覚データが取り込まれて、格納されると共に、深さ関連のデータが任意選択で集められて、同時に記録される。代替法として、深さデータが、ディジタルイメージデータおよび／またはビデオデータが取り込まれる各フレームに近い時間間隔内に取り込まれることができる。更に、それらの全体において本願明細書に引用したものとする、モウリーに対する先ほど確認した仮および非仮係属中特許出願にて開示したように、例えば解像度に影響を及ぼす拡張イメージあたりデータ内容を提供するディジタルまたはフィルムイメージのキーフレーム生成に関し、深さデータが、取り込まれるどのイメージに対しても必ずしも集められるというわけではない。既存のイメージ（例えば、モーフィングのための）に対するイメージ推定機能によって、１秒につき２４足らずのフレームが、例えば、イメージ取込み中に、空間的にサンプリングされて、格納されることが可能になることができる。ディジタル推定機能は、更に、取り込まれたレンズイメージに対してイメージ内の対象物に関連した空間データサンプリングの間に取り込まれる複数イメージ内のイメージゾーンに影響を及ぼす周期的空間取込みを可能にすることができる。許容可能な空間データサンプリングは、システムが許容可能な美的結果および効果を達成するために維持され、一方、イメージ「ゾーン」または側面は各々の空間データサンプリングの間でシフトする。当然、静止カメラまたは本発明の単一フレーム用途において、単一の空間収集または「マップ」が集められて、個々の取り込まれる静止イメージ毎に保存される。
【００４５】
更に、モウリーに対する先ほど確認した仮および非仮係属中特許出願にて開示し、それらの全体において本願明細書に引用したものとする、ように、および、さもなければ、従来技術において公知であるように、他の撮像手段およびオプションが、本願明細書に記載される空間データ収集撮像システムに選択的に接続されることができる。例えば、レンズで集められたイメージの、異なって焦点を定められた（またはさもなければ光学もしくは他のイメージ変更影響のために異なる）バージョンが取り込まれ、それは本願明細書において開示される空間データの収集を含むことができる。これは、例えば、２つの異なるイメージとして取り込まれるより離散的な適用、およびレンズ映像の異なったバージョンの使用を可能にすることができる。上に記載されたようなキーフレームアプローチは、（以降のイメージにこのデータを注入するために、イメージデータ内容がきわめて高いキーフレームを可能にすることによって）イメージ解像度を増大し、かつ、また、ここで空間データ収集側面に結びつけられることができ、それによって一意的なキーフレーム生成ハイブリッドを作成することができる。このようにして、このキーフレーム（それはまた、それらの全体において本願明細書に引用したものとするモウリー特許どおりに、従来の媒体の記録時間を同時に延長すると共に、材料の全体的な撮像解像度を向上するために選択的に取り込まれるものとされることができる）は、それらに関連した空間データを更に保存させることができる。キーフレームは、したがって潜在的に、視覚データの用途にだけでなく、しかし、イメージに関連したデータの他の側面に対するキーフレームは、キーフレームがイメージデータおよび他のイメージ詳細に関連した情報を提供することを可能にし、そのようなものの一例は、（視聴者の位置に対するこの種の側面の明示に関する）イメージ側面割付けデータである。
【００４６】
それらの全体において本願明細書に引用したものとする、モウリーに対する先ほど確認した仮および非仮係属中特許出願にて開示したように、ポスト生成および／または映写プロセスは、カメラによって取り込まれる映像に追加的なこの種のデータの結果として、追加オプションによって強化され、かつ改善される。例えば、二重スクリーンが、単レンズによって取り込まれる、異なって焦点を合わせられたイメージを表示するために提供されることができる。本願明細書の一態様に従って、深さ関連のデータがユーザーの所望のパラメータに従ってイメージゾーンに選択的に適用される。このデータは選択的特定性および／または優先度とともに適用され、かつどのイメージデータがそれぞれのスクリーンに中継されるかを判定し、および／または決定する際に役立つデータを備えた計算プロセスを含むことができる。例えば、前景または背景データが特殊効果または興味を有する視聴経験を作成するのに選択されることができる。本願明細書の教示に従って、三次元の視覚的効果が空間差異によって発生するイメージデータの結果として、提供されることができ、それによって、必ずしも取込み中にディスプレイスクリーンと実際の前景および背景要素との間に同じ距離を有さないとはいえ、イメージ取込み中に発生した前景および背景イメージデータの実物そっくりの空間差異を模倣することができる。
【００４７】
分割スクリーン表現のためのユーザー判定基準は、所望の最終イメージ結果を（例えば次元的に）達成するように、プロジェクトまたは個々の「ショット」またはイメージが調整されることを可能にするために自然に選択可能とすることができる。視聴者（複数の視聴者）からの様々な距離における複数のディスプレイまたは表示側面のオプションは、きわめて離散的で厳密な多次元ディスプレイの可能性を見越す。潜在的に、例えば単一の「ピクセル」のように小さいかあるいはより小さくさえあるイメージ側面は、修正された表示内で、単一の実際の映像が、例えば視聴者もしくはライブの光景またはそれを取り込むカメラに対して、見られることのありとあらゆる側面までに対して一意的な距離を伴うことができると同時に、視聴者（複数の視聴者）の位置に対してそれ自体の一意的な距離を有することができる。
【００４８】
カメラ内のまたはそれを備える深さ計測器によって集められる深さ関連のデータは、全体的なイメージデータおよびその中の選択されたゾーンの特別な処理を可能にする。例えば、対象物の３次元視覚実体の複製は、例えば上記した仮および非仮特許出願において開示されるオフセットスクリーン法を通して、または、代わりとして他の周知の技術によって、撮影イメージデータに関連するように可能にされる。視覚的に取り込まれる対象物と関連する付加データの存在は、したがって、さもなければ、映画、テレビまたは静止写真のいずれかにかかわりなく、従来の映画撮影またはディジタル取込みにおいて失われるであろう、あり余る程のポスト生成および特別な処理オプションを提供する。更に、単一のイメージからつくられて、空間データに従って変換される異なるイメージファイルが、作成される新しいイメージファイルの各々の中に、元々取り込まれたイメージの全ての側面を選択的に保持することができる。特定の修正が、所望の映写効果を達成するために空間データに従って設定され、それによって、相互に異なるようになるために必ずしもイメージ側面を「落とす」というわけではない、異なる最終的イメージファイルに結びつく。
【００４９】
本発明のさらに別の構成において、二次（付加）空間／深さ測定装置が、物理的にカメラの一部であることなく、カメラによって操作可能であるか、またはカメラのすぐ間近の物理的な近傍内に位置しさえすることができる。多重送信／受信（または他の深さ／空間および／または３次元測定装置）が、ポスト生成オプションを強化するカメラのレンズ視野内の対象物の付加場所、形状および距離データ（および他の関連位置決めおよび形状データ）を提供するために、例えばカメラに対して、選択的に配置されることができ、他の効果目的およびディジタルワークに対してカメラレンズ視野を越えている対象物の部分のデータを可能にする。
【００５０】
一態様において、複数の空間測定ユニットがカメラレンズに対して選択的に配置され、カメラが撮影しているものに関連した環境および対象物の、異なって選択的に詳細な三次元データマップを提供する。データマップは、カメラによって取り込まれるイメージを修正して、一意的な映写経験および実際の人間の経験により近い視覚結果、または、二次元映画で提供されたものを越える少なくとも重なった多次元印象、を選択的に作成するために用いられる。更に、イメージに関する空間データが、イメージ内の単に三次元特色だけが「見せかけられ」、または「若干の」空間データ、もしくはイメージ関連情報のその付加された次元を与えるイメージデータを越えた他のデータ、さえなしで即席につくられる、周知の撮像オプション、を可能にすることができる。複数のイメージ取込みカメラが、この種の多位置イメージおよび空間データ収集システムに対する情報を集める際に更に用いられることができる。
【００５１】
本発明を実施するための特定の態様の例は、例証となる目的だけに対して提供され、いかなる形であれ本発明の有効範囲を限定することを目的とされない。
【００５２】
次に図面を参照して、同様な参照番号は同様な要素を指し、図１は、例えばフィルムカメラまたは高解像度ディジタルカメラとしてフォーマットされることができ、かつ単一または複数空間データサンプリング装置１０４Ａおよび１０４Ｂに接続され、２つの対象物：木およびテーブルの例証映像のイメージおよび空間データを取り込むための、カメラ１０２を例示する。図１において示される例において、空間データサンプリング装置１０４Ａはカメラ１０２に接続され、および、空間データサンプリング装置１０４Ｂはされない。前景空間サンプリングデータ１０６および背景空間サンプリングデータ１１０が、とりわけ、最終表示における木からのテーブルの潜在的分離を可能にし、それによって視聴者の視線に沿って視聴者から異なる深さ／距離で映写側面上に各要素を提供する。更に、背景サンプリングデータ１１０は、イメージデータ処理ベース、または一般的に、取り込まれるイメージ内の識別可能な対象物（例えば図１に示されるテーブルおよび木）に関連した、イメージの選択的に目立たない側面の実際の「立体地図」記録、を提供する。イメージ高解像度記録媒体１０８は、例えば、空間データサンプリング装置１０４によって提供される空間データと選択的に同期され、および／または連合して記録されるフィルムまたは電子メディアとすることができる。
【００５３】
カメラ、ディジタルまたはフィルムによる視覚および距離情報双方の取込みおよび記録に関連した開示が、本願明細書において更に拡張される。更に、半不透明な第１のスクリーンを伴う二重スクリーンディスプレイの発明に対するアプローチが、（１つの構成で時間的に、および、他の開示で物理的に半不透明の両方で）現在の技術で個別的に処理できる構成で実証するために本願明細書において開示される。
【００５４】
本発明は、深さデータを選択的に取り込んで、記録するディジタルカメラを提供し、（深さに対する複数の視点がデータを集める際に利用されるシナリオを含んで、カメラの視点またはカメラに対してどこか他の所からの送信および選択的にその送信の受信の解析によって、）および、一態様において、このカメラはディジタルである。
【００５５】
本願明細書において、フィルムカメラ（および／またはディジタル取込みシステムまたはハイブリッドフィルムおよびディジタルシステム）が深さデータ収集手段に接続され、例えばカメラのレンズ位置または選択的にその位置に近い、選択された視点（複数の視点）からの選択的記録を可能にし、この深さ情報（もしくはデータ）が、収集において選択的に目立たないイメージゾーンに関係することができ、または、選択的に目立たないディスプレイシステムの、選択的にすべてのピクセルもしくは選択的に小さいイメージゾーンに割り当てられるべき最初に集められた形式で選択的に広くかつ深くなることができる；−例えば、高解像度ディジタルイメージ取込みおよび記録手段のすべてのピクセルに関連した深さデータ番号、（例えばソニーシネアルタおよび関連したカメラ）。
【００５６】
選択的に、この種の深さデータは、映画化されたイメージと提供された深さデータとの間の相互参照手段を備えた、「二重システム」記録によって記録されることができ（例えばフィルムによる二重システム録音による）、または、実際のフィルムネガは、特にイメージゾーンおよびまたは側面と関連する深さデータの記録のための、磁気もしくは他の記録手段（例えば磁気「音声ストライプ」もしくは、コダックがフィルム上にＤＡＴＡＫＯＤＥを記録するために用いたような、磁気側面）、を持つことができる。
【００５７】
イメージ取込み手段を通して取り込まれるイメージに対応する深さサンプリングおよび記録手段に接続されるディジタル、フィルムまたは他のイメージ取込み手段が、静止ディジタルまたはフィルムまたは他の静止視覚取込みカメラもしくは記録手段を伴うことができる、ことを言及することは重要である。本発明は、フィルムおよび／またはテレビおよびまたは、他の動画表示システムに対するモーションキャプチャと同様に「写真」の静止取込みに、直接関係する。
【００５８】
映写フェーズにおいて、ディジタルおよび／またはフィルム投影が、選択的に使用されることができる。ディジタル取込みまたはフィルム取込みからのイメージデータを伴うポスト生成手段は、本願明細書において開示されるように、深さデータに影響を受ける場合があり、イメージゾーン（もしくは対象物および／または側面）が投影手段または他のこの種のゾーンと異なる描写されたゾーン、取込み映像内の対象物および／または側面、に「割り当てられる」ことを可能にする。
【００５９】
一例は、主スクリーンであり、本願明細書において背景スクリーンと呼ばれる、もう１つのスクリーンより観衆により近く、前者は前景スクリーンと称される。
【００６０】
前景スクリーンは、背景スクリーンの断続的に視聴することもまた可能にすると共に、（部分的に）その前景スクリーン上のイメージの明示を可能にするために、物理的に（または電子的に）透過的なタイプとすることができる。
【００６１】
１つの可能な構成において、それは、本願明細書において請求項を全ての物理的、電子的、および化学的に可能な構成（または他の半透明スクリーン生成手段）に決して限定せず、このスクリーンは、選択的に通常の映画表示スクリーンサイズ（複数のサイズ）の、２ローラ上のシースとすることができる。
【００６２】
ここで、スクリーンであるこの「シース」は、選択的に大きいセクションおよび／またはストリップを有し、それは反射型でありおよび他のものはそうでない。目的は、一部の時間の間、前部投影イメージを明示し、かつ、一部の時間の間、観衆が背景スクリーンまで前景スクリーンを「透かして見る」ことを可能にすることであり、背景スクリーンは透過投影または投影（もしくは任意の種類）に限定されない他のよく知られているイメージ明示オプションのような、選択的イメージ明示手段を有するであろう。
【００６３】
このイメージ明示手段は、典型的な断続的またはディジタル投影経験（フィルムもしくはディジタル）と同様に、前景スクリーン上に明示されるイメージが安定していて、明白なことを可能にするために、選択的に電子的にリンクされることができる。
【００６４】
記載された「シース」は、選択的に、垂直にまたは水平に、または別の方法で「動く」ための手段を有し、その目的は、部分的に固形状で部分的に透過的な（選択的に反射型）映写面を作成することであり、選択的に両方の前に位置する観衆による前景および背景スクリーン上の両方のイメージの途切れのない視聴経験を可能にすることである。
【００６５】
本願明細書において記載される２つのスクリーンは、例示的である。明らかにこの開示および発明の１つの態様であることは、より多くの次元の側面が考慮されておよび／または表示されることを可能にする、さらに多くのスクリーンが、本発明の構成に関係することができる、ことである。更に、固体物質または液体または他のイメージ明示表面手段内のような高度な映写手段が、実質上無限次元のディスプレイを可能にすることができ、垂直におよび水平にだけでなく、（典型的な二次元の表示手段で）さらに深さにも割り当てられるイメージデータを提供し、第三次元がその表示結果において選択的に離散的であることを可能にする。
【００６６】
例えば、レーザまたは他の外部刺激システムのような１００深さオプションを有するスクリーン、そこにおいて立方体」ディスプレイ（「スクリーン」）のゾーンによって、イメージデータが、取り込まれた映像内に表される実際の対象物の空間的差異の控え目なシミュレーションで割り当てられることができるであろう（取込みがフィルムかまたはディジタルであったかどうかに関係なく）。「磁気共鳴」イメージングのような、この種のディスプレイシステムは、この種の高度な多次元映写手段（または、スクリーンの形状が必ず四角もしくは立方体のようである必要はないが「立方体」スクリーン）、（の側面）に、変更または「命令」を課すために外部磁気または他の電子的作用手段を有することができ、その結果、この明白なイメージが、（ディジタル的にまたはフィルムもしくは他のイメージデータ記録手段上に）取り込まれるように、イメージ作用対象物の空間（または深さ）関係のシミュレーションに深く割り当てられる。
【００６７】
このイメージを明示するレーザ作用手段がまた、多次元映写手段（および／または材料）によって、内部結果およびしたがってイメージ描画、に影響を及ぼす外部手段の一例であることができ、この映写手段の構成要素および／または側面は、レーザ（または他の外部的に、もしくは内部的に、設けられた手段）に基づいて、多次元映写領域内の選択されたポイントで選択された色またはイメージ側面を表示することができる。一連のディスプレイが、また、この種の多次元スクリーンで構成されることができ、それは、選択されたスクリーンが、深さもしくは視聴観衆からの「距離」、または、他の選択された基準点に基づいて、イメージ側面（および／またはピクセルまたは等価物）を明示するための目標（または選択肢）である場合、他のスクリーンの部分を通しての視聴を可能にする。
【００６８】
本発明はここで、部分的に本願明細書に開示される、潜在的に映画経験である多次元表示結果を提供するために、十分な「深さ」および視覚データを有するこの種の将来の表示技術を選択的に対象にする（および、「供給する」）ために十分に控え目な深さデータの取込みを提供する。
【００６９】
この技術の潜在的所有権の性質は、本願明細書において、明らかに、取込みおよび映写手段の選択が本発明の多次元取込みおよび表示側面が使用される他のこの種の取込みおよび映写手段、を選択的に排除することを可能にする。例えば、「フィルム」は１つのイメージ取込み手段であるが、このシステムに関連した唯一の取込み手段ではないとみなされることができる。
【００７０】
本発明は、「デュアルフォーカス」映像として、本願明細書において記載されるように、取り込まれるイメージにもあてはまり、選択的に取込みの類似した（または同一の）光景の一つ以上のレンズイメージ（複数のイメージ）の２つ以上の「焦点調節」優先順位を可能にする。異なって焦点を合わせられた光景のこの種の記録された取込み（静止または動画）は、ここで、次元効果に対して異なるスクリーン上に選択的に表示されることができる。例えば、前景および背景に関するイメージデータを受け取る前景および背景スクリーンは、同じ光景および／またはレンズイメージのバージョンに焦点を合わせる。
【００７１】
本発明の多くの構成に対する主要な利点は、イメージデータが、（視聴者からの単一の距離のスクリーン上でだけよりむしろ）観衆からの選択可能な距離でイメージ明示手段（例えばスクリーン）に、選択的に（かつ目的を持っておよび／または自動的に）割り当てられることができる、ことであるのは明白である。選択可能な数のこの種の深さイメージ明示オプション／手段を備えた、この種のオプションは、（単レンズ視聴手段と異なった）距離および深さを解釈する２つの「隔たった」目を通して、「現実」視聴により近い強力な視聴経験を生成することができる。
【００７２】
写真、フィルムおよびテレビ（および、他のディスプレイシステム）に対する創造的なオプションは、ここで、創造的な効果のためにどのようにそれらが取り込まれたかまたは、選択的に変えられたかのどちらかと同期して、創造的にイメージゾーンおよび取り込まれた「対象物」に影響を及ぼす能力を含む。
【００７３】
図面を参照して、同様な参照番号は、同様な要素を指し、図１は、側景からの、視聴者１０２および本発明のディスプレイ、１１０、を例示する。この構成は３次元を占める映写「領域」を示し、この構成においてディスプレイそれ自体を備える。本願明細書において、他のオプションおよび内部的に生成された表示可能性を限定せずに、外部的に課された生成された影響は、表示側面に影響を及ぼし、３次元の「表示領域」によって選択的に任意のポイントに現れることができる選択された特質および輝度（および、もちろん色成分メークアップ）の「色」の見た目に影響を及ぼす。
【００７４】
ピクセル１０４は、視聴者に対して、最前景ディスプレイ平面上に生じる。この平面は、本質的に劇場の二次元スクリーン（および、コンピュータ、テレビ、などを含んで、大部分のディスプレイシステム）と同義である。本願明細書において、ピクセル１０６および１０８はディスプレイの光を送ることのできる特質を示し、これらのピクセルが、（ピクセル１０４に対する）高さおよび幅に対してだけでなくしかし深さにおいてもまた異なるポイントにあることを可能にする。深さによって、参照は図１の側景で左から右にディスプレイの寸法までであり、深さはまた、視聴者視線に沿って、最も近い可能な表示された側面と最も遠い側面との間の距離を指す。映写領域内の潜在的ピクセル位置および／またはイメージ形成平面の数は、構成および所望の視覚目的に基づいて選択可能である。
【００７５】
重要な構成において、映写領域は（例えば）透明な（または半不透明な）「立方体」であり、立方体の内側の組成（物質および／または構成要素）は、立方体内の任意のポイントで発生する見える光、選択可能な色および輝度の光（ならびに、モニタおよびディジタル投影に典型的な他の関連した従来の表示オプション）の生成を可能にする。たぶん、二次元イメージとしてレンズによって取り込まれる単一の「映像」が、高さおよび幅に関して、立方体（またはさもなければ３次元）表示ゾーンを通して「分配される」ので、予想される構成において、１つだけの生成されたイメージ側面（ディスプレイ光生成または中継側面が、見えるイメージ部分を生成する手段としてピクセルに限定されないが、例えばピクセル）が、２次元イメージと同様に単一の高さおよび幅で生じるであろう。しかし、複数のイメージ側面が、（例えば）取り込まれたイメージ内の実際の取込み対象物の距離に基づいて、同じ深さ（または視聴者の視線に対して同じ映写距離）で生じることができ、対象物は、カメラによって取り込まれる場合、潜在的にカメラから同じ距離で実際に生じる。
【００７６】
図２は、上からの劇場の例を例示する。視聴者１０２が再び、３次元のディスプレイおよび／または表示領域、１０４、ここで外部イメージ形成影響、２０２、刺激側面、表示領域内の属性および／または構成要素、（および、表示領域内のイメージデータを生成するように連合して機能するディスプレイおよび外部デバイスの機能として）の例に対して見られる。この例は、光送信装置（例えば潜在的アプローチである、および／または情動に影響する、レーザ）のアレイによって分配される色の成分を例示し、ここで３つのこの種の装置は、立方体内のきわめて小さいゾーン（例えばもし実際のところピクセルでなければピクセルと同義の領域）内で見える光の生成を説明し、この３つのレーザまたは光供給装置は、影響の収束を可能にする（例えば選択的に交差する別々の色成分）。
【００７７】
１つの構成において、ディスプレイそれ自体またはディスプレイの一部の材料属性が、明示手段を外部的に出力された光に反応するおよび／または提供するであろう。図２は、生成される光の単一のポイントを説明する。当然、多数のこの種のポイント（理想的には全ての取り込まれた映像の複製を提供する）はこの種のアレイによって提供され、この種の外部的に設けられたイメージ形成影響の必要な速度およびカバレージを伴うであろう（再び、構成要素、ディスプレイまたは例証「立方体」表示領域の機能および／または他の属性と連合して）。
【００７８】
磁気共鳴映像法は典型的ではない結像手段の一例であり、（磁気）「スライス」のこの特定のディスプレイから対象物の他の部分を除外する、３次元対象物の交差秒の視聴を可能にする。ここで、この種のアプローチの逆の構成は、外部（ＭＲＩの磁石のような）作用の電子的に生成された結像影響を意味し、ここで、迅速に変わるフォーマットで、（視聴者からの）可能な選択された数の全体的な映写距離を可能にする、または、本質的に、「逆ＭＲＩ」のどれくらいのスライスが提供可能であるか、にもかかわらず、他のディスプレイゾーン領域を除外して、例えば断面のような、選択された領域に（外部的に影響を受ける表示結果で）同様に影響を及ぼす。
【００７９】
更に、典型的なモニタと同様に、ディスプレイおよびピクセルを生成する手段の選択透過性または同義の異なった色ゾーンが、ディスプレイの機能として完全に内部的に提供されることができる。ディスプレイの変更、変動、またはさもなければ可変側面は、視聴者に、他に対していくつかのポイントでディスプレイを「より深く」（または彼の視線に沿ってより遠く）見る能力を提供するだろう。本質的に、潜在的に従来のピクセルと比べて同じくらい小さい（もしくはより小さい）、または審美的に所望の表示効果に適するぐらい大きい、部分においてより深い透過性を提供する。
【００８０】
次に図３Ａおよび３Ｂを参照して、多スクリーンディスプレイ現場が示され、選択的に修正されたシステムユーザであることができる、前景取込みバージョン３０１を見る視聴者３０７を含む。前景取込みバージョン３０１は、例えばデータマネージャおよび同期装置経由で、データストアによって提供される。更に、結像ユニット３００が、例えば、図３Ｂに示される機械スクリーン構成で、反射型３０３の部分および透過／光を送ることのできる部分３０２を含む表示スクリーンとして提供されることができる、選択的に光を送ることのできる前景イメージディスプレイ上に、前景取込みバージョン３０１を投影しておよび／または提供する。
【００８１】
図３に示される機械スクリーン構成において、一本の可動スクリーンが、ローラモータ３０４を通して移動する。このスクリーンは、スクリーンがソリッドに見えることができるのに選択的に十分に速く動き、光を送ることのできる側面が、十分に速いペースで動く部分３０２から見えなくなるとともに、必要に応じて、直接的な視聴装置側面またはイメージ反射型側面とすることができる、ディスプレイストリップ３０３によって（またはその上で）明示するように、はっきり見える前景イメージ情報を“通して”途切れのない視聴を可能にする。
【００８２】
前景ディスプレイは非機械的性質であり、半不透明な特性を備えた装置のオプションを含み、または、可変の半不透明な特性を提供するように備えられる。更に、前景ディスプレイは修正された直接視聴装置であることができ、背景ディスプレイに対する透過性、半透明性または光伝播性を維持して、選択的に絶えず、後ろに配置されるとともに、前景に焦点を合わせられたイメージデータに関連したイメージ情報を特徴とする。
【００８３】
背景ディスプレイスクリーン３０６は、結像手段３０５によって提供される、背景取込みバージョン３０８から選択的に修正されたイメージデータを特徴とし、この結像手段は後部映写機、直接視聴モニタ、または、選択的に視聴のための前景イメージデータを提供する同じユニットである前部映写機３００を含む、他の直接視聴装置とすることができる。背景取込みバージョンイメージ３０８は、光伝播性特質または断続的伝播性機構を通して見えるイメージが、視聴者に継続的な、途切れのない背景映像を保持するために充分な一貫性を備えている限り、（すなわち人間の「視力の持続性」を経由して）選択的に絶えずまたは断続的に生成されることができる。このようにして、視聴者視点３０７はそれらから異なる距離で文字通り表示される多数の焦点位置の重なった、多次元効果を経験する。したがって、人間の目が、本来１つの場合に１つの「焦点位置」だけを選択することに限定されるので、同じ光景の、複数の焦点を合わせられた側面または層の絶えず続く出現は、従来技術に見いだされない新しい劇場の美的経験に結びつく。
【００８４】
本願明細書に記載される例証の多くが劇場ディスプレイを参照するとはいえ、本発明はそれに限定されない。ホームディスプレイ、コンピュータディスプレイ、コンピュータゲームおよび他の典型的な消費者向けおよび職業的ディスプレイ現場が、本願明細書において教示されるように、同じレンズで取り込まれた光景の多重バージョンの可用性に由来する類似した効果または複数の効果を達成するために、重なったディスプレイの物理的分離を組み込むことができる。さらに、従来技術における従来の二次元生成物のような、前景に焦点を合わせられた映像が主に生成されるとはいえ、例えば、１秒につき、１つの背景に焦点を合わせられた「キーフレーム」の取込みでさえ、有益である。この種のデータは、現在フィルムリリース、ＴＶまたは他の利用可能な現場に対して利用されていない。しかし、本願明細書に記載するような、視聴のためのデータの焦点を合わせられたキーフレームおよび他のデータ管理オプションを利用するさまざまな方法は、現在明らかにされていない。
【００８５】
したがって、焦点を合わせられた第２の取込みバージョンデータは、イメージをシャープにするポスト生成プロセスでさえ、焦点が視覚詳細を明らかにする場合、取り込まれる視覚化情報の多くを外挿することができないので、たとえ随時の「キーフレーム」においても、生成物が、さもなければ完全に失われる利用できる視覚化情報を「保存し」かつ有する、ことを可能にする。
【００８６】
したがって、本願明細書において提供される特徴は、今日有益なデータを取り込む方法に関し、および、キーフレームデータを明示するための新しい革新が将来進展するにつれて、明日の（従来技術テクニカラー映画のような）ユーザーは、付加視覚データを利用することが可能な将来の視聴システムおよび技術開発に対して、互換性があり、かつより興味深いプロジェクトのために必要な情報を有するであろう。
【００８７】
本発明は、次に以下の例証実施態様および関連した考察を参照して更に記載される。
【００８８】
多焦点構成カメラ、それによってとられるイメージの生成側面、および、システムの映写またはポスト生成側面、例えば、多スクリーンディスプレイ現場が含まれる。
【００８９】
初めに、映像が単一の取込みレンズを経て、カメラに入る。選択されたレンズイメージダイバータ、例えばプリズムまたはミラー装置が、レンズイメージを、同じ収集された映像（すなわち光）の２つの選択的に同等の（またはそうでない）部分に、分解する。その後に、別々のディジタル化（カメラ）ユニットが、並んで生じ、各々が分離したレンズイメージの選択された１つを受け取る。
【００９０】
ＣＣＤ、関連したチップまたは他の周知のディジタイザのような、これらのカメラユニットのそれぞれのディジタイザへの光の中継（レンズイメージ部分）の前に、付加レンズ化機構が、それぞれのレンズイメージ部分の各々に対して別々の焦点リング（焦点調節光学側面として示す；その開示を全体として本願明細書に引用したものとする２００６年６月５日に出願の名称「多次元撮像システムおよび方法」の米国特許出願第１１／４４７，４０６号を参照のこと）、を提供する。この焦点リングは、２つ以上のイメージバージョンの各々に対して一意的であり、および、１つのユニットが、前景要素に選択的に焦点を合わせられたレンズイメージのバージョンと、背景要素に選択的に焦点を合わせられたもう一方とをディジタル化することを可能にする。
【００９１】
各カメラは同じレンズイメージのディジタル化イメージを記録するように操作可能であり、二次的に設けられたレンズ化（または他の焦点調節手段）側面によって異なる焦点調節優先度に従属する。記録は、テープ、ＤＶＤまたはその他の周知のディジタルもしくはビデオ録画オプション上にあることができる。ここでの記述は、ＴＶまたは映画用のディジタルビデオに限定される必要があり、および、その代わりにフィルムおよび静止写真収集手段の全ての側面を含む。したがって、「記録媒体」は問題になっていないが、むしろレンズイメージの収集および処置が問題である。
【００９２】
照明およびカメラ設定は、焦点深度および他の光学的な側面に影響を及ぼす通常の手段を含む、さまざまな目的を強化するために許容範囲を提供する。
【００９３】
図４は、例えばフィルムカメラまたは高解像度ディジタルカメラとして、フォーマットされることができ、かつ単一または複数空間データサンプリング装置４０４Ａおよび４０４Ｂに接続され、２つの対象物：木およびテーブルの例証映像のイメージおよび空間データを取り込むための、カメラ４０２を例示する。図４において示される例において、空間データサンプリング装置４０４Ａはカメラ４０２に接続され、および、空間データサンプリング装置４０４Ｂはされない。前景空間サンプリングデータ４０６および背景空間サンプリングデータ４１０が、とりわけ、最終表示における木からのテーブルの潜在的分離を可能にし、それによって視聴者の視線に沿って視聴者から異なる深さ／距離で映写側面上の各要素を提供する。更に、背景サンプリングデータ４１０は、イメージデータ処理ベース、または一般的に、取り込まれるイメージ内の識別可能な対象物（例えば図４に示されるテーブルおよび木）に関連した、イメージの選択的に目立たない側面の実際の「立体地図」記録、を提供する。イメージ高解像度記録媒体４０８は、例えば、空間データサンプリング装置４０４によって提供される空間データと選択的に同期され、および／または連合して記録されるフィルムまたは電子メディアとすることができる。例えば２００６年７月６日に出願の名称「多次元イメージ表示のための視覚データおよび非視覚データを取り込むためのシステム及び方法」の米国特許出願第１１／４８１，５２６号を参照のこと、その内容は、全体としてここにて組み込まれるものとする。
【００９４】
白黒映画のカラー化中に、色彩情報が一般的に「キーフレーム」に加えられ、および、色を着けてないフィルムのいくつかのフレームが、初めに白黒のフィルムに取り込まれる場合、推測の結果であり、かつしばしばいかなる形であれ実際の対象物の色に関連していない、色をしばしば有する。「テクニカラー３ストリップ」色分離プロセスは、元の写真撮影中に存在する実際の色の表現によって知らせられるように、「添加された」色を特徴とする、元の光景の表示可能なバージョンを再形成するのに用いられる色「情報レコード」を（白黒フィルムの異なったストリップ内に）取り込み、格納した。
【００９５】
同様に、本願明細書の教示に従って、原イメージ取込み中に取り込まれる空間情報は、（テクニカラー３ストリッププロセスの様に）、カメラレンズを通して取り込んだ元の映像の実質上無限の数の「バージョン」を潜在的に知らせることができる。例えば、「どれくらい赤いか」は、テクニカラー３ストリッププリントからプリントを作成する際に可変であり、服装が実際赤であり青くなかった、ことに先行しないので、本発明は、視覚およびその対応する空間「立体地図」記録から所望の効果（例えば三次元の視覚的効果）を達成する際にさまざまな美的オプションおよび用途を可能にする。したがって、例えば、空間データは選択的詳細で集められることができ、「どれくらいの空間データが、イメージにつき集まったか」は、意図されたディスプレイ装置の分離性または期待された「明日」のディスプレイ装置（複数の装置）によって最もよく知らせられる変数である、ことを意味する。音声を有する、色を有する等のフィルムを創造する歴史的な効果に基づいて、この種の材料を取り込んで映写することが経済的になる前にさえ、将来の使用、用途、および、システム（複数のシステム）互換性のためのこの種のプロジェクトの価値は、公知である。イメージ形成進歩の今日において、本願明細書に記載される次元情報を集める価値は、たとえ何年も撮影イメージの表示されたバージョンに適用されない場合であっても、映画、静止写真、ビデオゲーム、テレビおよびイメージ形成を伴う他のプロジェクトを含んで、撮像されたプロジェクトの商業的なプレゼンタに対して、潜在的に莫大であり、およびしたがって今きわめて関連する。
【００９６】
本発明によって提供される他の用途および製品は、当業者に明白である。例えば、一態様において、無限の数のイメージ明示領域が視聴者の視線に沿って異なる深さで表される。例えば、深さ１０フィートの透明な立方体ディスプレイが、カメラからの各ピクセルの空間および深さ位置に基づいて、異なる深さでイメージの各「ピクセル」を提供する。別の態様においては、三次元テレビスクリーンが提供され、そこにおいてピクセルが、水平に、例えば、左から右に、しかし、また、選択的に近くから遠くに（例えば前部から後部に）提供され、「最終的」背景領域で、おそらくいくつかの他の深さにおけるより、より多くのデータがあらわれる。最終背景の前で、前景データは「まばらな」深さ領域を占め、おそらく、ほんの少しのピクセルだけが特定の深さポイントで発生する。したがって、イメージファイルは選択的に様々な形式で、例えば１つのファイルで、イメージ側面を保持することができ、背景はきわめてソフトフォーカス（例えば、が設定される）で提供される。
【００９７】
上記の発明が理解の明快さの目的のための図および例経由でいくらか詳細に記載されたとはいえ、特定の改変と変更態様が添付の特許請求の範囲の趣旨または有効範囲から逸脱することなく、それに対してなされることができることは、本発明の教示を考慮して、技術の当業者に直ちに明白であろう。
【図面の簡単な説明】
【００９８】
【図１】側景から視聴者および映写領域を例示する。
【図２】上から見られる一劇場例を例示する。
【図３Ａ】一実施態様に従う多スクリーンディスプレイ現場を例示し、および一実施態様に従う機械的スクリーン構成を含む。
【図３Ｂ】一実施態様に従う多スクリーンディスプレイ現場を例示し、および一実施態様に従う機械的スクリーン構成を含む。
【図４】さまざまなイメージ側面で動作する複数のカメラおよび深さ関連の測定器を示す。
【図１】
2009504028.tif 000003
【図２】
2009504028.tif 000004
【図３Ａ】
2009504028.tif 000005
【図３Ｂ】
2009504028.tif 000006
【図４】
2009504028.tif 000007
【国際調査報告】
2009504028.tif 000008
2009504028.tif 000009
2009504028.tif 000010
2009504028.tif 000011